(57)【特許請求の範囲】
【請求項１】
ビデオ信号およびオーディオ信号を含むＡＶ信号を取得するＡＶ信号取得部と、
テレビ受像機が接続されるテレビ接続部と、
スピーカが接続されるオーディオ増幅回路と、
前記ＡＶ信号取得部が取得したＡＶ信号のオーディオ信号の出力先を、前記オーディオ増幅回路または前記テレビ接続部のいずれか一方に切り換える音声信号処理部と、
前記ＡＶ信号取得部が取得したＡＶ信号のうち、前記ビデオ信号を前記テレビ接続部から前記テレビ受像機に向けて出力し、前記オーディオ信号を前記オーディオ増幅回路に入力するよう前記音声信号処理部を切り換えたとき、前記テレビ受像機に対して該テレビ受像機のオーディオ増幅回路の電源をオフすべき旨のコマンドを送信し、前記ＡＶ信号取得部が取得したＡＶ信号のうち、前記ビデオ信号を前記テレビ接続部から前記テレビ受像機に向けて出力し、前記オーディオ信号を前記テレビ接続部から前記テレビ受像機に向けて出力するよう前記音声信号処理部を切り換えたとき、前記オーディオ増幅回路の電源をオフする制御部と、
を備えたオーディオアンプ装置。
【請求項２】
ビデオ信号およびオーディオ信号を含むＡＶ信号を再生するＡＶ再生装置と、請求項１に記載のオーディオアンプと、テレビ受像機とが、この順序で接続されたＡＶシステムであって、
前記ＡＶ信号取得部は、前記ＡＶ再生装置からＡＶ信号を受信する受信部であり、
前記ＡＶ再生装置は、再生したＡＶ信号を前記オーディオアンプのＡＶ信号取得部に送信し、
前記テレビ受像機は、オーディオ増幅回路、オーディオ増幅回路に電源を供給するオーディオ用電源回路およびテレビ制御部を有し、
前記テレビ制御部は、前記オーディオアンプから前記オーディオ増幅回路の電源をオフすべき旨のコマンドを受信したとき、前記オーディオ用電源回路をオフする
ＡＶシステム。
【請求項３】
テレビ受像機が接続され、該テレビ受像機からのオーディオ信号の入力機能を有するテレビ接続部と、
スピーカが接続されるオーディオ増幅回路と、
前記テレビ接続部から前記テレビ受像機に対してオーディオ信号を送信すべき旨のコマンドを送信し、前記テレビ受像機から入力されるオーディオ信号を前記オーディオ増幅回路に入力するとともに、さらに、前記テレビ受像機に対して該テレビ受像機のオーディオ増幅回路の電源をオフすべき旨のコマンドを送信する制御部と、
を備えたオーディオアンプ装置。
【請求項４】
前記テレビ接続部は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）インタフェースであり、前記テレビ受像機からのオーディオ信号をＡＲＣ（Ａｕｄｉｏ  Ｒｅｔｕｒｎ  Ｃｈａｎｎｅｌ）機能を用いて入力する請求項３に記載のオーディオアンプ装置。
【発明の詳細な説明】
【技術分野】
【０００１】
この発明は、ＤＶＤプレーヤやテレビ受像機などとともにＡＶシステムを構成するオーディオアンプに関する。
【背景技術】
【０００２】
ＡＶシステムは、複数のオーディオ機器、ビデオ機器を組み合わせてＡＶコンテンツやオーディオコンテンツを再生するシステムであり、ＤＶＤやＢｌｕＲａｙディスクの再生装置、ＡＶアンプ、テレビなどの機器で構成されている。ＡＶシステムで再生されるソースは、ＤＶＤなどの光ディスク、テレビ放送など様々であり、再生されるソースによっては、ＡＶシステム中で使用されない機器や、機器の一部機能が使用されていても使用されない機能が生じる場合があった。
【０００３】
その一方、ＡＶシステムは、一般的にシステム全体として電源が管理されており、ＡＶシステムの電源をオンすると全ての機器が一括して電源オンされる。このため、使用されていない機器や機能があっても常時の電源がオンしており省エネルギに反するものであった。ＡＶシステムの消費電力をモニタリングする技術としては、たとえば特許文献１に記載のようなものがある。
【先行技術文献】
【特許文献】
【０００４】
【特許文献１】特開２００７−１９２７５８号公報
【発明の概要】
【発明が解決しようとする課題】
【０００５】
しかしながら、特許文献１の技術は、ＡＶシステム全体の消費電力を集計して表示する機能は有しているが、機器の動作形態に応じて電源をオフする等の節電、省エネの機能は備えていなかった。
【０００６】
また、上述したように、ＡＶシステムでは、再生するソースによっては１台の機器のなかで動作している機能と休止している機能が発生する場合があるが、上記特許文献１のものでは機器全体の電力消費を集計することができるのみで、機器中のどの機能が動作しており、どの機能が休止しているかを判断すること、および、休止している機能の電源をオフすることはできなかった。
【０００７】
そこで、この発明は、ＡＶシステムに含まれる機器の機能部のうち、ソースの再生に使用されていない機能部の電源をオフすることにより、ＡＶシステムの省エネを実現したオーディオアンプ装置を提供することを目的とする。
【課題を解決するための手段】
【０００８】
請求項１の発明であるオーディオアンプ装置は、ビデオ信号およびオーディオ信号を含むＡＶ信号を取得するＡＶ信号取得部と、テレビ受像機が接続されるテレビ接続部と、スピーカが接続されるオーディオ増幅回路と、前記ＡＶ信号取得部が取得したＡＶ信号のオーディオ信号の出力先を、前記オーディオ増幅回路または前記テレビ接続部のいずれか一方に切り換える音声信号処理部と、前記ＡＶ信号取得部が取得したＡＶ信号のうち、前記ビデオ信号を前記テレビ接続部から前記テレビ受像機に向けて出力し、前記オーディオ信号を前記オーディオ増幅回路に入力するよう前記音声信号処理部を切り換えたとき、前記テレビ受像機に対して該テレビ受像機のオーディオ増幅回路の電源をオフすべき旨のコマンドを送信し、前記ＡＶ信号取得部が取得したＡＶ信号のビデオ信号、オーディオ信号を前記テレビ接続部から前記テレビ受像機に向けて出力するよう前記音声信号処理部を切り換えたとき、前記オーディオ増幅回路の電源をオフする制御部と、を備えたことを特徴とする。
【０００９】
請求項２の発明は、ビデオ信号およびオーディオ信号を含むＡＶ信号を再生するＡＶ再生装置と、請求項１に記載のオーディオアンプと、テレビ受像機とが、この順序で接続されたＡＶシステムであって、
前記ＡＶ信号取得部は、前記ＡＶ再生装置からＡＶ信号を受信する受信部であり、前記ＡＶ再生装置は、再生したＡＶ信号を前記オーディオ増幅回路のＡＶ信号取得部に送信し、前記テレビ受像機は、オーディオ増幅回路、オーディオ増幅回路に電源を供給するオーディオ用電源回路およびテレビ制御部を有し、前記テレビ制御部は、前記オーディオアンプから前記オーディオ増幅回路の電源をオフすべき旨のコマンドを受信したとき、前記オーディオ用電源回路をオフすることを特徴とする。
【００１０】
請求項３の発明であるオーディオアンプ装置は、テレビ受像機が接続され、該テレビ受像機からのオーディオ信号の入力機能を有するテレビ接続部と、スピーカが接続されるオーディオ増幅回路と、前記テレビ接続部から前記テレビ受像機に対してオーディオ信号を送信すべき旨のコマンドを送信し、前記テレビ受像機から入力されるオーディオ信号を前記オーディオ増幅回路に入力するとともに、さらに、前記テレビ受像機に対して該テレビ受像機のオーディオ増幅回路の電源をオフすべき旨のコマンドを送信する制御部と、を備えたことを特徴とする。
【００１１】
請求項４の発明は、請求項３の発明において、前記テレビ接続部は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）インタフェースであり、前記テレビ受像機からのオーディオ信号をＡＲＣ（Ａｕｄｉｏ  Ｒｅｔｕｒｎ  Ｃｈａｎｎｅｌ）機能を用いて入力することを特徴とする。
【発明の効果】
【００１２】
この発明のオーディオアンプ装置によれば、一部のＡＶ信号の転送機能やビデオ信号の再生・表示機能を担当しているが、オーディオ信号の再生を担当していない場合には、オーディオ増幅回路の電源をオフすることにより、機器のメインの電源をオフできない状態であっても節電・省エネすることができる。
【図面の簡単な説明】
【００１３】
【図１】この発明の実施形態であるＡＶシステムの構成図
【図２】ＡＶシステムにおけるオーディオ信号の流れを説明する図
【図３】ＡＶアンプのソースおよびオーディオ再生機器の選択動作を示すフローチャート
【図４】ＡＶアンプのソースおよびオーディオ再生機器の選択動作を示すフローチャート
【発明を実施するための形態】
【００１４】
図１はこの発明の実施形態であるＡＶシステムの構成図である。ＡＶシステムは、テレビ受像機（テレビ）２、ＡＶアンプ１およびＡＶ再生装置４で構成されている。ＡＶアンプ１にはスピーカ３が接続される。スピーカ３は、たとえば、センタスピーカ、フロント左スピーカ、フロント右スピーカ、サラウンド左スピーカ、サラウンド右スピーカ、サブウーファからなる５．１チャンネルスピーカシステムである。
【００１５】
ＡＶ再生装置４は、たとえばＤＶＤ再生装置やセットトップボックス等であり、ビデオ信号およびオーディオ信号を有するＡＶ（Ａｕｄｉｏ  Ｖｉｄｅｏ）信号を再生出力する。ＡＶ再生装置４によって再生されたＡＶ信号は、ＨＤＭＩケーブルを介してＡＶアンプ１に入力される。
【００１６】
ＡＶアンプ１は、ＡＶ再生装置４からＡＶ信号が入力されると、このＡＶ信号のうちビデオ信号をテレビ２に転送する。また、オーディオ信号は、ユーザの切換操作に応じて、スピーカ３から放音したり、テレビ２に転送してテレビ２の内蔵スピーカ２６から放音されるようにする。ＡＶアンプ１とテレビ２とはＨＤＭＩケーブルを介して接続される。
【００１７】
ＡＶアンプ１は、制御部１０、メモリ１１、操作・表示部１２、ＨＤＭＩ受信部（Ｒｘ）１３、ＨＤＭＩ送信部（Ｔｘ）１６、音声処理部１４、映像バッファ１５、オーディオ増幅回路１７、オーディオ用電源回路１８および再生部１９を備えている。制御部１０はＡＶアンプ１全体の動作を制御する。メモリ１１はフラッシュメモリであり、装置の動作を制御するプログラムや設定されたパラメータ等を不揮発に記憶する。操作・表示部１２はユーザの操作を受け付けるとともに、現在の動作状態を表示する。ＨＤＭＩ受信部１３は、ＡＶ再生装置４のＨＤＭＩ送信部４１からＡＶ信号を受信する。また、ＨＤＭＩ送信部１６はテレビ２のＨＤＭＩ受信部２１に対してＡＶ信号を送信する。ＨＤＭＩインタフェースは、オーディオ・ビデオ信号に加えて、相手装置を制御するためのコマンド信号（ＣＥＣコマンド）を伝送したり、下流側の装置から上流側の装置へオーディオ信号を転送するＡＲＣ（Ａｕｄｉｏ  Ｒｅｔｕｒｎ  Ｃｈａｎｎｅｌ）機能を備えている。
【００１８】
音声処理部１４はＤＳＰで構成され、ＨＤＭＩ受信部１３から入力されたオーディオ信号を処理し、処理した信号をオーディオ増幅回路１７を介してスピーカ３に出力する。また、ユーザの切換操作に応じてオーディオ信号をＨＤＭＩ送信部１６を介してテレビ２に出力する。オーディオ増幅回路１７は他の回路向けの電源回路から独立してオン／オフされるオーディオ用電源回路１８で駆動される。このオーディオ用電源回路１８のオン／オフは制御部１０によって制御される。また、再生部１９は、ＦＭ放送を受信するチューナやＣＤプレーヤ等を有し、ＡＶアンプ１単体でオーディオ信号の再生を可能にしている。再生部１９が再生したオーディオ信号は、音声処理部１４に入力される。
【００１９】
映像バッファ１５は、ＨＤＭＩ受信部１３から入力されたビデオ信号を一旦バッファし、制御部１０から入力されるＯＳＤ画像等を合成してＨＤＭＩ送信部１６に出力する。
【００２０】
テレビ２は、制御部２０、ＨＤＭＩ受信部２１、音声処理部２２、映像処理部２３、オーディオ増幅回路２４、オーディオ用電源回路２５、内蔵のスピーカ２６、ディスプレイ２７およびチューナ２８を備えている。ＨＤＭＩ受信部２１は、ＡＶアンプ１からＡＶ信号を受信する。ＨＤＭＩ受信部２１が受信したＡＶ信号のうち、オーディオ信号は音声処理部２２に入力され、ビデオ信号は映像処理部２３に入力される。また、ＨＤＭＩケーブルを介して送られてきたコマンド信号は制御部２０に入力される。チューナ２８はデジタルテレビ放送を受信するチューナであり、受信したテレビ放送のうち、オーディオ信号は音声処理部２２に入力され、ビデオ信号は映像処理部２３に入力される。
【００２１】
映像処理部２３は、入力されたビデオ信号をデコードしてディスプレイ２７に表示する。音声処理部２２は、入力されたオーディオ信号の音量や音質を調整するとともに、ユーザの切換操作に応じてこのオーディオ信号をオーディオ増幅回路２４またはＨＤＭＩ受信部２１に出力する。オーディオ増幅回路２４は音声処理部２２から入力されたオーディオ信号を増幅してスピーカ２６から放音する。ＨＤＭＩ受信部２１は、音声処理部２２からオーディオ信号が入力されると、ＡＲＣ機能を用いてこのオーディオ信号をＡＶアンプ１に転送する。
【００２２】
なお、オーディオ増幅回路２４は他の回路向けの電源回路から独立してオン／オフされるオーディオ用電源回路２５で駆動される。このオーディオ用電源回路２５のオン／オフは制御部２０によって制御される。
【００２３】
制御部２０は、ユーザの操作またはＡＶアンプ１から入力されるコマンド（ＣＥＣコマンド）に応じて装置の動作を制御する。ＡＶアンプ１からは、たとえば、チューナ２８が受信したオーディオ信号をＡＲＣ機能を用いてＡＶアンプ１へ転送すべき旨のコマンドや、オーディオ用電源回路２５をオフする旨のコマンドなどが入力される。
【００２４】
図２は、このＡＶシステムにおけるＡＶ信号（特にオーディオ信号）の再生形態を示す図である。同図（Ａ）、（Ｂ）はＡＶ再生装置４をソース機器とし、ＡＶ再生装置４から読み出されたオーディオ信号の再生形態を示す図であり、同図（Ａ）はオーディオ信号をＡＶアンプ１で再生する場合、同図（Ｂ）は、オーディオ信号をテレビ２で再生する場合を示している。いずれの場合もビデオ信号はテレビ２で再生される。
【００２５】
また、同図（Ｃ）、（Ｄ）はテレビ２のチューナ２８をソースとし、チューナ２８で受信したオーディオ・ビデオ信号の再生形態を示す図であり、同図（Ｃ）は、オーディオ信号をＡＲＣ機能でＡＶアンプ１に転送して再生する場合を示しており、同図（Ｄ）はオーディオ信号をテレビ２で直接再生する場合を示している。いずれの場合もビデオ信号はテレビ２で再生される。
【００２６】
同図（Ａ）の形態では、オーディオ信号はＡＶアンプ１で再生されるため、テレビ２のオーディオ増幅回路２４は休止している。また、同図（Ｂ）の形態では、オーディオ信号は、テレビ２で再生されるため、ＡＶアンプ１のオーディオ増幅回路１７は休止している。ただし、同図（Ｂ）の場合でも、ＡＶアンプ１は、ＡＶ再生装置４が再生したオーディオ・ビデオ信号を中継してテレビ２に転送する機能を担当しており、且つ、ＡＶシステム全体の動作をコントロールする機能を担当しているため、メイン電源をオフすることはできない。
【００２７】
また、同図（Ｃ）の形態では、オーディオ信号はＡＶアンプ１で再生されるため、テレビ２のオーディオ増幅回路２４は休止している。また、同図（Ｄ）の形態では、チューナ２８で受信したオーディオ信号が、そのままテレビ２で再生されるため、ＡＶアンプ１はＡＶ信号の再生に関しては何ら機能していない。ただし、ＡＶアンプ１は、ＡＶシステム全体の動作をコントロールする機能を担当しているため、メイン電源をオフすることはできない。
【００２８】
このように、ＡＶシステムでは、ソースの選択およびオーディオ信号の再生機器の選択次第で、再生機能から外れ休止するオーディオ回路（オーディオ増幅回路）が発生する。システム上でその機器が何ら機能を担当していない場合はその機器の電源をオフすることも可能である。しかし、上記の形態の場合、ＡＶアンプ１もテレビ２も一部の機能が使用されているため機器のメイン電源をオフしてしまうことはできない。そこで、使用していないオーディオ回路の電源のみをオフすることで省エネを図っている。
【００２９】
図３、図４は、ユーザによってソース機器が選択されたときのＡＶアンプ１の動作を示すフローチャートである。  
図３はユーザにより、ＡＶコンテンツのソースとしてＡＶ再生装置４が選択されたときの動作を示している。ユーザがソース機器としてＡＶ再生装置４を選択すると（Ｓ１）、テレビ２に対してセレクタ切換コマンドを送信する（Ｓ２）。このセレクタ切換コマンドは、テレビ２のソース選択をＡＶアンプ１（ＨＤＭＩ入力）に切り換えるようにという内容のＣＥＣコマンドである。そしてユーザによるオーディオ信号の出力先の選択を受け付ける（Ｓ３）。すなわち、ＡＶ再生装置４が再生したＡＶ信号のうちのオーディオ信号をＡＶアンプ１で再生するかテレビ２で再生するかの選択を受け付ける。ユーザがテレビ２を選択すると、映像（ビデオ信号）と一緒にテレビ２でオーディオ信号を再生することができる。また、ユーザがＡＶアンプ１を選択すると、映像はテレビ２で再生されるが、オーディオ信号はより高音質のＡＶアンプ１（およびスピーカ３）で再生することができる。
【００３０】
Ｓ４でどちらが選択されたかを判断する。テレビ２が選択された場合には、テレビ２に対してオーディオ電源オフ解除コマンドを送信する（Ｓ５）。このコマンドは、テレビ２オーディオ用電源回路２５をオンしてオーディオ増幅回路２４に電源を供給する旨のコマンドである。そして自装置のオーディオ用電源回路１８をオフする（Ｓ６）。これにより使用しないオーディオ増幅回路１７への電源供給が停止され電力エネルギを節約することができる。こののち、音声処理部１４のオーディオ信号の出力先をＨＤＭＩ送信部１６（テレビ２）に設定し（Ｓ７）、ＡＶ再生装置４にＡＶコンテンツの再生を指示して（Ｓ８）、動作を再生処理へ進行させる。
【００３１】
また、Ｓ４でＡＶアンプ１が選択された場合には、自装置のオーディオ用電源回路１８のオフを解除してオーディオ増幅回路１７の電源をオンし（Ｓ１０）、テレビ２に対してオーディオ電源オフコマンドを送信する（Ｓ１１）。このコマンドは、テレビ２オーディオ用電源回路２５をオフしてオーディオ増幅回路２４への電源供給を停止する旨のコマンドである。こののち、音声処理部１４のオーディオ信号の出力先をオーディオ増幅回路１７に設定し（Ｓ１２）、ＡＶ再生装置４にＡＶコンテンツの再生を指示して（Ｓ１３）、動作を再生処理へ進行させる。
【００３２】
なお、テレビ２またはＡＶアンプ１のオーディオ用電源回路１８または２５をオフした旨を、映像バッファ１５でビデオ信号にＯＳＤ（Ｏｎ  Ｓｃｒｅｅｎ  Ｄｉｓｐｌａｙ）合成してテレビ２のディスプレイに表示してもよい。
【００３３】
また、上記フローチャートではユーザによる切換操作に応じてオーディオ用電源回路１８、２５をオン／オフしているが、ＨＤＭＩ受信部１３およびＨＤＭＩ送信部１６を流れるオーディオ信号を監視して、オーディオ信号がＡＶアンプ１、テレビ２のどちらで再生されるかを検出し、これに基づいてオーディオ用電源回路１８、２５をオン／オフするようにしてもよい。
【００３４】
図４は、ユーザによりＡＶコンテンツのソースとしてテレビ２のチューナ２８が選択されたときの動作を示すフローチャートである。ユーザがソース機器としてテレビ２のチューナ２８を選択すると（Ｓ２１）、テレビ２に対してセレクタ切換コマンドを送信する（Ｓ２２）。このセレクタ切換コマンドは、テレビ２のソース選択をチューナ２８に切り換えるようにという内容のＣＥＣコマンドである。次にユーザによるオーディオ信号の出力先の選択を受け付ける（Ｓ２３）。すなわち、チューナ２８が受信したＡＶ信号のうちのオーディオ信号をＡＶアンプ１で再生するかテレビ２で再生するかの選択を受け付ける。ユーザがテレビ２を選択すると、映像（ビデオ信号）と一緒にテレビ２でオーディオ信号を再生することができる。また、ユーザがＡＶアンプ１を選択すると、映像はテレビ２で再生されるが、オーディオ信号はより高音質のＡＶアンプ１（およびスピーカ３）で再生することができる。
【００３５】
Ｓ２４でどちらが選択されたかを判断する。テレビ２が選択された場合には、テレビ２に対してオーディオ電源オフ解除コマンドを送信する（Ｓ２５）。このコマンドは、テレビ２オーディオ用電源回路２５をオンしてオーディオ増幅回路２４に電源を供給する旨のコマンドである。そして自装置のオーディオ用電源回路１８をオフする（Ｓ２６）。これにより使用しないオーディオ増幅回路１７への電源供給が停止され電力エネルギを節約することができる。
【００３６】
また、Ｓ２４でＡＶアンプ１が選択された場合には、テレビ２に対してＡＲＣ転送コマンドを送信する（Ｓ３０）。このコマンドはチューナ２８で受信したオーディオ信号をＡＲＣ（Ａｕｄｉｏ  Ｒｅｔｕｒｎ  Ｃｈａｎｎｅｌ）でＡＶアンプ１に転送すべき旨を指示するコマンドである。つぎに、自装置のオーディオ用電源回路１８のオフを解除してオーディオ増幅回路１７の電源をオンし（Ｓ３１）、テレビ２に対してオーディオ電源オフコマンドを送信する（Ｓ３２）。このコマンドは、テレビ２オーディオ用電源回路２５をオフしてオーディオ増幅回路２４への電源供給を制止する旨のコマンドである。こののち、音声処理部１４のオーディオ信号の出力先をオーディオ増幅回路１７に設定する（Ｓ３３）。
【００３７】
なお、図３、図４に示した動作に加えて、ＡＶシステム内で全く機能していない機器のメイン電源をオフするようにしてもよい。たとえば、図２（Ｃ），（Ｄ）の形態で動作しているときにＡＶ再生装置４のメイン電源をオフする、ＣＤを再生しているときにテレビ２のメイン電源をオフする等である。電源のオン／オフは、ＡＶアンプ１がＨＤＭＩを経由したＣＥＣコマンドで行えばよい。なおメイン電源をオフした場合でもＨＤＭＩの送受信機能を含むスタンバイ回路は活きているようにする。
【００３８】
なお、ＡＶアンプの再生部１９でＦＭ放送、ＣＤなどのオーディオソースを再生する場合、一般的には、オーディオ信号はＡＶアンプ１のオーディオ増幅回路１７で増幅されスピーカ３から再生されるが、この場合にも図２（Ａ），（Ｂ）のように出力先を切換可能にし、その切り換えに応じて電源をオン／オフしてもよい。
【００３９】
この実施形態では、ＡＶ再生装置４がＡＶコンテンツを再生してＡＶアンプ１にＡＶ信号を入力する構成になっているが、ＡＶアンプ１がＤＶＤ再生部やデジタルテレビチューナなどを内蔵し、内部でＡＶ信号を再生する構成であってもよい。
【符号の説明】
【００４０】
１  ＡＶアンプ
２  テレビ
３  スピーカ
４  ＡＶ再生装置
１７、２４  オーディオ増幅回路
１８、２５  オーディオ用電源回路
【図１】
0005533101.tif 000002
【図２】
0005533101.tif 000003
【図３】
0005533101.tif 000004
【図４】
0005533101.tif 000005